(57)【要約】【課題】通信端末装置にデータを保存して格納することなしに、通信端末装置でのデータの再生を可能にするデータ保存送信装置を提供する。【解決手段】データ保存送信装置１０は、通信端末装置２０からの情報を受信する情報受信部１１と、情報受信部１１でデータ取得指示情報を受信したとき、それに基づいてデータ供給部１６，３０から所定のデータを取得するデータ取得部１２と、データ取得部１２で取得したデータを保存して格納するデータ格納部１５と、情報受信部１１でデータ送信指示情報を受信したとき、それに基づいてデータ格納部１５に格納された所定のデータをその通信端末装置２０に対して送信するデータ送信部１３と、を備える。【選択図】図１
2007213530.tif 000002
【特許請求の範囲】
【請求項１】
通信端末装置からの情報を受信する情報受信部と、
上記情報受信部でデータ取得指示情報を受信したとき、それに基づいてデータ供給部から所定のデータを取得するデータ取得部と、
上記データ取得部で取得したデータを保存して格納するデータ格納部と、
上記情報受信部でデータ送信指示情報を受信したとき、それに基づいて上記データ格納部に格納された所定のデータをその通信端末装置に対して送信するデータ送信部と、
を備えたデータ保存送信装置。
【請求項２】
請求項１に記載されたデータ保存送信装置において、
上記データのフォーマットを変換するフォーマット変換部をさらに備えたデータ保存送信装置。
【請求項３】
請求項１に記載されたデータ保存送信装置において、
上記データを分割するデータ分割部をさらに備えたデータ保存送信装置。
【請求項４】
請求項１に記載されたデータ保存送信装置において、
上記データ取得部がデータを取得するデータ供給部を装置内に備えたデータ保存送信装置。
【請求項５】
請求項４に記載されたデータ保存送信装置において、
上記情報受信部でデータ保存指示情報及び再生用データを受信したとき、それに基づいて該再生用データを上記データ格納部及び／又は上記装置内のデータ供給部に保存する再生データ保存部をさらに備えたデータ保存送信装置。
【請求項６】
請求項１に記載されたデータ保存送信装置において、
データ購入費用及びデータ格納費用のそれぞれについて、通信端末装置のユーザー毎に、所定時に課金データ処理する課金処理部をさらに備えたデータ保存送信装置。
【請求項７】
請求項１に記載されたデータ保存送信装置において、
上記情報受信部でデータ送信順編集情報を受信したとき、それに基づいて上記データ送信部から送信する複数のデータの送信順を編集するデータ送信順編集部をさらに備えたデータ保存送信装置。
【請求項８】
請求項１に記載されたデータ保存送信装置において、
広告データを格納した広告データ格納部をさらに備え、
上記データ送信部は、上記データ格納部に格納された所定のデータと共に上記広告データ格納部に格納された所定の広告データをもその通信端末装置に対して送信するように構成されているデータ保存送信装置。
【請求項９】
請求項１に記載されたデータ保存送信装置において、
リアルタイム情報を取得するリアルタイム情報取得部をさらに備え、
上記データ送信部は、上記情報受信部でリアルタイム情報送信指示情報を受信したとき、上記リアルタイム情報取得部からの所定のリアルタイム情報をその通信端末装置に対して送信するように構成されているデータ保存送信装置。
【請求項１０】
請求項１に記載されたデータ保存送信装置において、
上記通信端末装置が携帯電話機であるデータ保存送信装置。
【請求項１１】
通信端末装置からの情報を受信可能に構成されていると共に、データ供給部から所定のデータを取得するデータ取得部、データを格納するデータ格納部、及び、通信端末装置に対してデータ送信するデータ送信部のそれぞれを制御可能なコンピュータに、
上記情報受信部でデータ取得指示情報を受信したとき、それに基づいて上記データ取得部にデータ供給部から所定のデータを取得させるデータ取得手順と、
上記データ取得手順で取得したデータを上記データ格納部に保存して格納させるデータ格納手順と、
上記情報受信部でデータ送信指示情報を受信したとき、それに基づいて上記データ格納部に格納された所定のデータをその通信端末装置に対して上記データ送信部から送信させるデータ送信手順と、
を実行させるために用いられるコンピュータプログラム。
【請求項１２】
請求項１１に記載されたコンピュータプログラムを記録したコンピュータ読み取り可能な記録媒体。
【請求項１３】
通信端末装置を用いたデータの再生方法であって、
通信端末装置からデータ保存送信装置にアクセスし、該通信端末装置からのデータ送信指示情報に基づいて、該データ保存送信装置からそこに格納されたデータを該通信端末装置に対して送信すると同時に、該通信端末装置で該データをストリーミング再生するデータ再生方法。
【発明の詳細な説明】
【技術分野】
【０００１】
本発明は、データ保存送信装置、それに用いるコンピュータプログラム及びそれを記録した記録媒体、並びに、データ再生方法に関する。
【背景技術】
【０００２】
インターネットの発達と携帯電話機の普及に伴ってデータ通信を用いた種々の技術が開発されている。
【０００３】
特許文献１には、通信ネットワークを介してコンテンツ提供サーバ及び複数の電子音楽装置が通信可能に接続され、コンテンツ提供サーバのコンテンツ蓄積手段には、各電子音楽装置のユーザに対応した記憶領域に、各ユーザが制作したり購入した音楽コンテンツが蓄積され、或る電子音楽装置側で、コンテンツ提供サーバにアクセスすると、直ちに、当該電子音楽装置のユーザに対応する記憶領域に蓄積された音楽コンテンツが呼び出され、当該電子音楽装置のユーザは、呼び出された音楽コンテンツに対して、概要の確認、タイトル修正、再生、編集（更新）、削除、コピーなど、種々の操作を加えることができる音楽コンテンツストレージシステムが開示されている。そして、これによれば、ユーザが購入し或いは制作した音楽コンテンツをデータセンタで保存し、音楽コンテンツ利用時の利便性を向上し、コストの低減・削減を図ることができる、と記載されている。
【特許文献１】特開２００３−９９０３７号公報
【発明の開示】
【発明が解決しようとする課題】
【０００４】
近年、パーソナルコンピュータ（以下、「パソコン」という。）からインターネット上のデータ配信システムに接続し、必要なデータを無料又は有料でダウンロードしてパソコンに格納して、パソコン自体でそのデータを再生したり、或いは、パソコンに外部再生装置を接続してデータを転送し、その外部再生装置でデータを再生することが多く見られる。
【０００５】
ところで、携帯電話機からインターネット上のデータ配信システムに接続し、必要なデータを無料又は有料でダウンロードして携帯電話機のメモリに格納して、着信時等にデータを再生することも多くなっている。これについては、いわゆる「着うた（登録商標）」や「着うたフル（登録商標）」等と呼ばれるサービスがある。
【０００６】
ところが、パソコンや携帯電話機が故障すると、故障の具合によっては、それらに格納されたデータをもはや再生することができず、有料で購入したような場合にはデータ購入費用が無駄になってしまうこととなる。
【０００７】
また、携帯電話機を機種変更する際に、以前の携帯電話機のデータを新規の携帯電話機に移動させることができない場合がある。
【０００８】
さらに、現状の携帯電話機には、小容量の記憶媒体（例えば、１６ＭＢの容量のＳＤメモリ）が付属しているが、この容量の記憶媒体では、１０数曲程度の楽曲データしか格納
できない。
【０００９】
本発明は、これらの点に着目してなされたものであり、通信端末装置にデータを保存して格納することなしに、通常通信端末装置に付属している記憶媒体に比較して大容量の外部記憶媒体として機能し、その通信端末装置でのデータの再生を可能にするデータ保存送信装置、それに用いるコンピュータプログラム及びそれを記録した記録媒体、並びに、データ再生方法を提供することを目的とする。
【課題を解決するための手段】
【００１０】
本発明のデータ保存送信装置は、
通信端末装置からの情報を受信する情報受信部と、
上記情報受信部でデータ取得指示情報を受信したとき、それに基づいてデータ供給部から所定のデータを取得するデータ取得部と、
上記データ取得部で取得したデータを保存して格納するデータ格納部と、
上記情報受信部でデータ送信指示情報を受信したとき、それに基づいて上記データ格納部に格納された所定のデータをその通信端末装置に対して送信するデータ送信部と、
を備える。
【００１１】
本発明のコンピュータプログラムは、
通信端末装置からの情報を受信可能に構成されていると共に、データ供給部から所定のデータを取得するデータ取得部、データを格納するデータ格納部、及び、通信端末装置に対してデータ送信するデータ送信部のそれぞれを制御可能なコンピュータに、
上記情報受信部でデータ取得指示情報を受信したとき、それに基づいて上記データ取得部にデータ供給部から所定のデータを取得させるデータ取得手順と、
上記データ取得手順で取得したデータを上記データ格納部に保存して格納させるデータ格納手順と、
上記情報受信部でデータ送信指示情報を受信したとき、それに基づいて上記データ格納部に格納された所定のデータをその通信端末装置に対して上記データ送信部から送信させるデータ送信手順と、
を実行させるために用いられるものである。
【００１２】
本発明のコンピュータ読み取り可能な記録媒体は、このコンピュータプログラムを記録したものである。
【００１３】
本発明の通信端末装置を用いたデータの再生方法は、
通信端末装置からデータ保存送信装置にアクセスし、該通信端末装置からのデータ送信指示情報に基づいて、該データ保存送信装置からそこに格納されたデータを該通信端末装置に対して送信すると同時に、該通信端末装置で該データをストリーミング再生するものである。
【発明の効果】
【００１４】
本発明によれば、データ保存送信装置に大容量のデータが格納されるので、通信端末装置にデータを格納する必要がなく、従って、通信端末装置が故障等してもデータは喪失されず、通常、通信端末装置に付属している記憶媒体に比較して大容量の外部記憶媒体として機能し、そして、本来の通信端末装置の機能としては再生することができない容量やフォーマットのデータでも、通信端末装置とデータ保存送信装置との通信によって好みの順にデータの連続再生を行うことができる。
【発明を実施するための最良の形態】
【００１５】
以下、実施形態を図面に基づいて詳細に説明する。
【００１６】
（データ保存送信システム）
図１は、本実施形態のデータ保存送信システムＳを示す。
【００１７】
このデータ保存送信システムＳは、各々、通信ネットワーク４０に通信接続可能なデータ保存送信装置１０、多数の通信端末装置２０、及び、外部データ供給装置３０（データ供給部）で構成されている。なお、通信ネットワーク４０は、例えば、インターネット、ＣＡＴＶ網、電話線網、衛星通信網など各種のＷＡＮ、ＭＡＮ等である。
【００１８】
このデータ保存送信システムＳは、ユーザー登録したユーザーが通信端末装置２０から通信ネットワーク４０を介してデータ保存送信装置１０にアクセスし、データ取得指示情報を送ると、データ保存送信装置１０が外部データ供給装置３０等からデータを取得すると共にそのデータをデータ保存送信装置１０に保存して格納し、そして、データ送信指示情報を送ると、データ保存送信装置１０が指定のデータを通信端末装置２０に対して送信し、これらにおいて、データ取得に要するデータ購入費用及びデータ格納費用のそれぞれについてデータ保存送信装置１０オーナーがユーザーに課金する、というビジネスモデルを構成するものである。ここで、データは、音楽データ、動画データ、静止画データ、文書データ等であって特に限定されるものではない。
【００１９】
図２は、このデータ保存送信システムＳの構成を示す。
【００２０】
データ保存送信装置１０は、相互にデータ通信可能に接続されたアクセス処理サーバ１１（情報受信部）、データ取得処理サーバ１２（データ取得部）、データ送信処理サーバ１３（データ送信部）、課金処理サーバ１４（課金処理部）、データ格納処理サーバ１５（データ格納部）、データ供給サーバ１６（データ供給部）、及び、図示しないリアルタイム情報取得サーバ（リアルタイム情報取得部）を備えている。
【００２１】
アクセス処理サーバ１１は、通信端末装置２０のユーザーの登録情報データベースであって、通信端末装置２０からのデータ取得指示情報やデータ再生指示情報などの情報を通信ネットワーク４０を介して受信し、その情報に基づいてデータ取得処理サーバ１２、データ送信処理サーバ１３及び課金処理サーバ１４を制御すると共に、通信端末装置２０に対して所定の情報を通信ネットワーク４０を介して送信する。
【００２２】
また、アクセス処理サーバ１１には、
データ取得指示情報を受信したとき、それに基づいてデータ取得処理サーバ１２にデータ供給サーバ１６、或いは、外部データ供給装置３０から所定のデータを取得させるデータ取得手順と、
上記データ取得手順で取得したデータをデータ格納処理サーバ１５に保存して格納させるデータ格納手順と、
データ送信指示情報を受信したとき、それに基づいてデータ格納処理サーバ１５に格納された所定のデータ及び所定の広告データをその通信端末装置２０に対してデータ送信処理サーバ１３から送信させるデータ送信手順と、
を実行させるコンピュータプログラムＩがインストールされている。このコンピュータプログラムＩは、ＣＤ−ＲＯＭやＤＶＤ等のコンピュータ読み取り可能な記録媒体での商品化が可能なものである。
【００２３】
また、このコンピュータプログラムＩは、データ送信順編集情報を受信したとき、それに基づいて、データ格納処理サーバ１５からプレイリスト情報を受け取り、データ送信処理サーバ１３から送信する複数のデータの送信順等を編集してプレイリスト情報を変更し、そのプレイリスト情報をデータ格納処理サーバ１５に書換保存させる手順と、
後述のプリペイド方式の入金情報を受信したとき、課金処理サーバ１４からユーザーのポイント残高情報を受け取り、それに入力されたポイントを加算してポイント残高情報を変更し、そのポイント残高情報を課金処理サーバ１４に書換保存させる手順と、
データ保存指示情報及び再生用データを受信したとき、それに基づいてその再生用データをデータ供給サーバ１６に保存させる手順と、
広告データ登録情報及び広告データを受信したとき、それに基づいてその広告データをデータ格納処理サーバ１５に保存させる手順と、
リアルタイム情報送信指示情報を受信したとき、リアルタイム情報取得サーバからの所定のリアルタイム情報をその通信端末装置２０に対してデータ送信処理サーバ１３から送信させる手順と、
をさらに備えている。従って、アクセス処理サーバ１１は、データ送信順編集部を構成する。
【００２４】
データ取得処理サーバ１２は、アクセス処理サーバ１１からのデータリスト要求情報に基づいて、データ供給サーバ１６、或いは、外部データ供給装置３０にアクセスし、取得可能データ情報を要求してそれを受け取ってアクセス処理サーバ１１に送る。また、データ取得処理サーバ１２は、アクセス処理サーバ１１からのデータ取得指示情報に基づいて、データ供給サーバ１６、或いは、外部データ供給装置３０にアクセスし、所定のデータを要求してそれを受け取ってデータ格納処理サーバ１５に送る。さらに、データ取得処理サーバ１２は、データ購入時に、購入したデータのデータ購入費用情報を課金処理サーバ１４に送る。これらの動作はいずれもデータ取得処理サーバ１２にインストールされたコンピュータプログラムの実行によって行われる。なお、データは、ユーザー情報に関係づけられて授受される（以下同様）。
【００２５】
データ送信処理サーバ１３は、アクセス処理サーバ１１からのデータ送信指示情報に基づいて、データ格納処理サーバ１５にアクセスし、所定のデータを要求してそれを受け取ると共に、所定の広告データを要求してそれを受け取って通信端末装置２０に対してそれらのデータを通信ネットワーク４０を介して送信する。また、データ送信処理サーバ１３は、アクセス処理サーバ１１からのリアルタイム情報送信指示情報に基づいて、リアルタイム情報取得サーバにアクセスし、所定のリアルタイムデータを要求してそれを受け取って通信端末装置２０に対してそのリアルタイム情報データを通信ネットワーク４０を介して送信する。
【００２６】
また、データ送信処理サーバ１３は、送信するデータを分割しながら一部分ずつ送信する（例えば、６４ＫＢずつ）。従って、データ送信処理サーバ１３は、データ分割部をも構成する。
【００２７】
さらに、データ送信処理サーバ１３は、通信開始時に識別される通信端末装置２０の種別に基づいて、データが通信端末装置２０に適合しないフォーマットの場合に、データを通信端末装置２０に適合するフォーマットに変換する。具体的には、例えば、通信端末装置２０が携帯電話機であって、格納された楽曲データがパソコン用のＭＰ３フォーマットである場合に、データを携帯電話機用のｍｌｄフォーマットや３ｇｐフォーマットに変換する。従って、データ送信処理サーバ１３は、フォーマット変換部をも構成する。
【００２８】
データ送信処理サーバ１３には、
データの送信指示を受けたとき、データ格納処理サーバ１５から当該データを受け取って、その一部分を分割する手順と、
分割したデータの一部分について、送信対象の通信端末装置２０に対応したフォーマットか否かを判断し、ＹＥＳの場合にはそのまま送信する一方、ＮＯの場合にはフォーマット変換して送信する手順と、
を実行させるコンピュータプログラムIIがインストールされている。このコンピュータプログラムIIは、ＣＤ−ＲＯＭやＤＶＤ等のコンピュータ読み取り可能な記録媒体での商品化が可能なものである。
【００２９】
課金処理サーバ１４は、通信端末装置２０のユーザー毎のポイント残高情報を格納しており、定期的（例えば１ヶ月単位）に、ユーザー毎にデータ格納費用のポイント加減による課金データ処理を行い、また、データ購入時に、データ取得処理サーバ１２からのデータ購入費用情報に基づいて、データ購入費用のポイント加減による課金データ処理を行う。これらの動作はいずれも課金処理サーバ１４にインストールされたコンピュータプログラムの実行によって行われる。なお、課金データ処理は、プリペイド処理及びポストペイド処理のいずれも可能であり、前者の場合、費用発生時にポイント減算処理を行い、後者の場合、費用発生時にポイント加算処理を行う。また、前者の場合、課金処理サーバ１４は、残高照合の必要から、アクセス処理サーバ１１からのポイント残高情報の要求情報に基づいて、ポイント残高情報をアクセス処理部に送り、また、通信端末装置２０から入金情報が送信されれば、アクセス処理サーバ１１からのその入金情報に基づいて、ポイント加算処理を行う。
【００３０】
データ格納処理サーバ１５は、各ユーザーに関係づけられたデータ（再生用データ）、プレイリスト情報、及び、広告データを保存しており、データ取得処理サーバ１２から送られるデータを保存して格納すると共に、データ送信処理サーバ１３からのデータ要求情報に基づいて、所定のデータをデータ送信処理サーバ１３に送り、また、アクセス処理サーバ１１からの要求情報に基づいて、格納データ情報やプレイリスト情報をアクセス処理部に送る。また、データ格納処理サーバ１５は、アクセス処理サーバ１１からの指示に基づいて、所定の広告データを保存して格納する。従って、データ格納処理サーバ１５は、広告データ格納部をも構成する。これらの動作はいずれもデータ格納処理サーバ１５にインストールされたコンピュータプログラムの実行によって行われる。
【００３１】
データ供給サーバ１６は、データ保存送信装置１０内に設けられた購入されるデータのデータベースであり、データ取得処理サーバ１２からの要求情報に基づいて、取得可能データ情報をデータ取得処理サーバ１２に送り、また、指定されたデータをデータ取得処理サーバ１２に送る。データ供給サーバ１６は、アクセス処理サーバ１１からの指示に基づいて、ユーザーから送られた所定の再生用データを保存して格納する。従って、データ供給サーバ１６は、再生データ保存部をも構成する。これらの動作はいずれもデータ供給サーバ１６にインストールされたコンピュータプログラムの実行によって行われる。
【００３２】
リアルタイム情報取得サーバは、アクセス処理サーバ１１からの要求情報に基づいて、装置外の所定のリアルタイム情報受信サーバにネットワーク４０を介してアクセスし、所定のリアルタイム情報を要求し、それを受け取ってデータ送信処理サーバ１３に送る。この動作はリアルタイム情報取得サーバにインストールされたコンピュータプログラムの実行によって行われる。
【００３３】
通信端末装置２０は、例えば、通信ネットワーク４０に接続されたパソコンや電話会社の基地局２４を介して通信ネットワーク４０に接続された携帯電話機等である。通信端末装置２０は、アクセス処理サーバ１１に送信する情報を入力する情報入力部２１（例えば、パソコンの場合、キーボードやマウス、携帯電話機の場合、キー入力部）、アクセス処理サーバ１１から受信した情報を表示する情報表示部２２（例えば、ディスプレイ）及びデータ送信処理サーバ１３からのデータを再生するデータ再生部２３（例えば、スピーカーやディスプレイ）を備えている。また、通信端末装置２０は、データ保存送信装置１０との情報送受信及びデータ再生のためのアプリケーションソフトウェアがインストールされている。
【００３４】
外部データ供給装置３０は、データ保存送信装置１０外に設けられた購入されるデータのデータベースであり、データ取得処理サーバ１２からの要求情報に基づいて、取得可能データ情報をデータ取得処理サーバ１２に送り、また、指定されたデータをデータ取得処理サーバ１２に送る。なお、外部データ供給装置３０からデータを取得したときに発生するデータ購入費用は、データ保存送信装置１０側で立て替え、課金処理サーバ１４は、データ取得処理サーバ１２からのデータ購入費用情報に基づいてそれを精算する。
【００３５】
（データ取得及び再生・編集動作）
次に、このデータ保存送信システムＳにおけるデータ取得及びデータ再生・編集動作について説明する。
【００３６】
このデータ保存送信システムＳのデータ取得及びデータ再生・編集動作は、主として、アクセス処理サーバ１１にインストールされた上記コンピュータプログラムＩ及びデータ送信処理サーバ１３にインストールされた上記コンピュータプログラムIIの実行によって行われる。なお、以下では、プリペイド処理による課金データ処理の場合の例にする。
【００３７】
図３は、メニュー画面を表示させる情報送信までのフローチャートを示す。図４は、各ステップでの通信端末装置２０の情報表示部２２の表示を示す。
【００３８】
通信端末装置２０がデータ保存送信装置１０の所定のＵＲＬにアクセスすると、プログラムＩがスタートし、まず、ステップＳ１では、図４（ａ）に示すように、新規登録か登録済みかの選択画面を情報表示部２２に表示させるように通信端末装置２０に情報送信し、通信端末装置２０の情報入力部２１から入力送信されて、新規登録が選択されたときにはステップＳ２に進み、登録済みが選択されたときにはステップＳ３に進む。なお、このとき、通信端末装置２０の種別が識別される。
【００３９】
ステップＳ２では、図４（ｂ）に示すように、登録のための必要事項の入力を促す登録用入力画面を情報表示部２２に表示させるように通信端末装置２０に情報送信し、通信端末装置２０の情報入力部２１からの入力送信（登録ボタンを押す）があると、ステップＳ４に進んで、図４（ｃ）に示すように、端末情報の送信を求めるか否かの選択画面を情報表示部２２に表示させるように通信端末装置２０に情報送信し、通信端末装置２０の情報入力部２１から入力送信されて、ＹＥＳが選択されたとき（ＹＥＳボタンを押したとき）にはステップＳ５に進み、ＮＯが選択されたとき（ＮＯボタンを押したとき）には終了する。
【００４０】
ステップＳ３では、認証のための必要事項（例えば、ＩＤやパスワード）の入力を促す認証用入力画面を情報表示部２２に表示させるように通信端末装置２０に情報送信し、通信端末装置２０の情報入力部２１からの入力送信があるとステップＳ５に進んで、認証されるか否かを判断し、ＹＥＳの場合にはステップＳ６に進み、ＮＯの場合にはステップＳ７に進んで、その通信端末装置２０に対してエラー表示情報を返信して終了する。
【００４１】
ステップＳ６では、図４（ｄ）に示すように、データ購入、データ再生、又は、入金入力のいずれを選択するかを促すメニュー画面を情報表示部２２に表示させるように通信端末装置２０に情報送信し、通信端末装置２０の情報入力部２１から入力送信されて、データ購入が選択されたときにはステップＡ１に、データ再生・編集が選択されたときにはステップＢ１に、入金入力が選択されたときにはステップＦ１にそれぞれ進む。
【００４２】
＜データ購入（データ取得）＞
図５は、データ購入動作のフローチャートを示す。図６は、各ステップでの通信端末装置２０の情報表示部２２の表示を示す。
【００４３】
データ購入が選択されたときのまずステップＡ１では、図６（ａ）に示すように、複数のデータ検索モードのいずれを選択するかを促すデータ検索モード選択画面を情報表示部２２に表示させるように通信端末装置２０に情報送信し（例えば、楽曲データの場合に、曲名検索やアーティスト検索やジャンル別検索等の検索モードを表示させる。）、通信端末装置２０の情報入力部２１からの入力送信があるとステップＡ２に進む。
【００４４】
ステップＡ２では、選択されたデータ検索モードに対応して、図６（ｂ）に示すように、データ検索条件の入力を促すデータ検索画面を情報表示部２２に表示させるように通信端末装置２０に情報送信し、通信端末装置２０の情報入力部２１からの入力送信（検索ボタンを押す）があるとステップＡ３に進む。
【００４５】
ステップＡ３では、課金処理サーバ１４から当該ユーザーのポイント残高情報を受け取り、ポイント残高があるか否かを判断し、ＹＥＳの場合にはステップＡ４に進み、ＮＯの場合にはステップＡ９に進んで、通信端末装置２０に対してエラー表示情報を返信して終了する。
【００４６】
ステップＡ４では、データ検索条件に基づいて、データ取得処理サーバ１２を介してデータ供給サーバ１６、或いは、外部データ供給装置３０から取得可能データ情報を抽出し、続くステップＡ５に進む。
【００４７】
ステップＡ５では、抽出したデータ一覧のいずれのデータを選択するかを促すデータ選択画面を情報表示部２２に表示させるように通信端末装置２０に情報送信し、通信端末装置２０の情報入力部２１から入力送信があるとステップＡ６に進む。
【００４８】
ステップＡ６では、選択入力に基づいて、図６（ｃ）に示すように、そのデータ名等を示すと共に購入指示を促すデータ購入指示画面を情報表示部２２に表示させるように通信端末装置２０に情報送信し、通信端末装置２０の情報入力部２１から購入指示の入力送信（購入ボタンを押す）（データ取得指示情報）があるとステップＡ７に進む。
【００４９】
ステップＡ７では、データ取得処理サーバ１２にデータ供給サーバ１６、或いは、外部データ供給装置３０から選択されたデータを取得する指示を行い、続くステップＡ８に進む。このとき、データ取得処理サーバ１２は、コンピュータプログラムの実行により、データ供給サーバ１６、或いは、外部データ供給装置３０にアクセスし、選択されたデータを要求してそれを受け取ってデータ格納処理サーバ１５に送る。データ格納処理サーバ１５は、コンピュータプログラムの実行により、データ取得処理サーバ１２から送られたデータをユーザーと関係づけて保存して格納する。課金処理サーバ１４は、コンピュータプログラムの実行により、データ取得処理サーバ１２からのデータ購入費用情報に基づいて、ポイント残高からデータ購入費用のポイントを差し引く課金データ処理を行う。
【００５０】
ステップＡ８では、図６（ｄ）に示すように、データ取得処理サーバ１２からのデータ取得及び保存の情報を受け取った後、購入及び保存格納の完了を意味する完了報告画面を所定時間情報表示部２２に表示させるように通信端末装置２０に情報送信した後、ステップＳ６に戻る。
【００５１】
＜データ再生・編集＞
図７、９及び１１はデータ再生・編集動作のフローチャートを示す。図８は、各ステップでの通信端末装置２０の情報表示部２２の表示を示す。
【００５２】
データ再生が選択されたときのステップＢ１では、図８（ａ）に示すように、データ一覧（単一データ再生）、又は、複数のプレイリスト（複数データ再生）のいずれを選択するかを促すプレイモード選択画面を情報表示部２２に表示させるように通信端末装置２０に情報送信し、通信端末装置２０の情報入力部２１から入力送信されて、データ一覧が選択されたときにはステップＣ１に、プレイリストが選択されたときにはステップＥ１にそれぞれ進む。
【００５３】
−データ一覧（単一データ再生）−
図９は、単一データ再生動作のフローチャートを示す。
【００５４】
ステップＣ１では、課金処理サーバ１４から当該ユーザーのポイント残高情報を受け取り、ポイント残高があるか否かを判断し、ＹＥＳの場合にはステップＣ２に進み、ＮＯの場合にはＣ６に進んで、通信端末装置２０に対してエラー表示情報を返信して終了する。
【００５５】
ステップＣ２では、データ格納処理サーバ１５から当該ユーザーの格納データ情報を受け取り、続くステップＣ３に進む。
【００５６】
ステップＣ３では、図８（ｂ）に示すように、格納データを一覧に示すと共にデータの選択を促すデータ選択画面を情報表示部２２に表示させるように通信端末装置２０に情報送信し、通信端末装置２０の情報入力部２１から入力送信があるとステップＣ４に進む。
【００５７】
ステップＣ４では、図８（ｃ）に示すように、選択されたデータを特定して示すと共に再生指示を促す再生指示画面を情報表示部２２に表示させるように通信端末装置２０に情報送信し、通信端末装置２０の情報入力部２１から再生指示の入力送信（再生ボタンを押す）（データ再生指示情報）があるとステップＣ５に進む。
【００５８】
ステップＣ５では、選択されたデータ及び所定の広告データをその通信端末装置２０に対してデータ送信処理サーバ１３から送信させる指示を行い、図８（ｄ）に示すように、再生中の所定の表示をさせて終了する。このとき、例えば、音楽データや楽曲データを送信させると共に、広告データとして動画データや静止画データを送信するようにしてもよい。
【００５９】
ここで、データ送信処理サーバ１３によるデータ送信動作について説明する。このデータ送信動作は、データ送信処理サーバ１３にインストールされた上記コンピュータプログラムIIの実行によって行われる。
【００６０】
図１０は、そのデータ送信動作のフローチャートを示す。
【００６１】
アクセス処理サーバ１１からデータの送信の指示を受けるとプログラムIIがスタートし、まず、ステップＤ１では、データ格納処理サーバ１５から上記の選択された所定のデータを受け取り、続くステップＤ２に進む。
【００６２】
ステップＤ２では、データの一部分を分割し、続くステップＤ３に進む。
【００６３】
ステップＤ３では、分割したデータが無いか否かを判断し、ＹＥＳの場合には終了し、ＮＯの場合にはステップＤ４に進む。
【００６４】
ステップＤ４では、分割したデータの一部分について、送信対象の通信端末装置２０に適合したフォーマットか否かを判断し、ＹＥＳの場合にはステップＤ５に進み、ＮＯの場合にはステップＤ６に進む。
【００６５】
ステップＤ５では、送信対象の通信端末装置２０に対して分割されたデータの一部分を通信ネットワーク４０を介して送信し、ステップＤ２に戻る。
【００６６】
ステップＤ６では、データのフォーマットを送信対象の通信端末装置２０に適合したフォーマットに変換し、ステップＤ５に進む。
【００６７】
従って、例えば、パソコン用のＭＰ３フォーマットの楽曲データの場合に、通信端末装置２０がパソコンであれば、ステップＤ４でＹＥＳと判断し、ステップＤ５に進んで、ＭＰ３フォーマットの楽曲データをそのまま送信する。一方、通信端末装置２０が携帯電話機であれば、ステップＤ４でＮＯと判断し、ステップＤ６に進んで、楽曲データを携帯電話機用のｍｌｄフォーマットや３ｇｐフォーマットに変換し、続いてステップＤ５に進んで、そのフォーマット変換した楽曲データを送信する。
【００６８】
−プレイリスト再生・編集−
図１１は、プレイリスト再生・編集動作のフローチャートを示す。
【００６９】
ステップＥ１では、課金処理サーバ１４から当該ユーザーのポイント残高情報を受け取り、ポイント残高があるか否かを判断し、ＹＥＳの場合にはステップＥ２に進み、ＮＯの場合にはステップＥ９に進んで、通信端末装置２０に対してエラー表示情報を返信して終了する。
【００７０】
ステップＥ２では、選択されたプレイリストについて、図８（ｅ）に示すように、表示、追加及び削除のうちいずれを選択するかを促す選択画面を情報表示部２２に表示させるように通信端末装置２０に情報送信し、通信端末装置２０の情報入力部２１から入力送信されて、表示が選択されたときにはステップＥ３に進み、追加が選択されたときにはステップＥ６に進み、削除が選択されたときには、図８（ｈ）に示すような表示をさせて、データ削除処理フローに進む。
【００７１】
ステップＥ３では、データ格納処理サーバ１５から当該プレイリスト情報を受け取り、続くステップＥ４に進む。
【００７２】
ステップＥ４では、図８（ｆ）に示すように、当該プレイリストのデータ一覧を示すと共に再生指示を促す再生指示画面を情報表示部２２に表示させるように通信端末装置２０に情報送信し、通信端末装置２０の情報入力部２１から再生指示の入力送信（再生ボタンを押す）（データ送信指示情報）があるとステップＥ５に進む。
【００７３】
ステップＥ５では、選択されたプレイリストの複数のデータをリスト順にその通信端末装置２０に対してデータ送信処理サーバ１３から送信させる指示を行い、図８（ｄ）に示すように、再生中の所定の表示をさせて終了する。このとき、データ送信処理サーバ１３は、プレイリストの複数のデータのそれぞれについてリスト順に上記コンピュータプログラムを実行し（図９のフローチャート参照）、通信端末装置２０に対してデータを送信する。
【００７４】
−プレイリスト編集−
ステップＥ６では、データ格納処理サーバ１５から当該プレイリスト情報を受け取り、続くステップＥ７に進む。
【００７５】
ステップＥ７では、図８（ｇ）に示すように、当該プレイリストに追加可能なデータ一覧を示すと共に追加するデータの入力を促す追加データ入力画面を情報表示部２２に表示させるように通信端末装置２０に情報送信し、通信端末装置２０の情報入力部２１からデータ追加終了の入力送信があるとステップＥ８に進む。このとき、単数データを追加しても、また、複数データを追加してもいずれでもよい。また、プレーリスト情報にデータのリストが含まれていない場合は、プレイリストが新規に作成されることとなる。
【００７６】
ステップＥ８では、データを追加したことを記録したプレイリスト情報を作成してデータ格納処理サーバ１５に書換保存して格納させ、ステップＥ１に戻る。
【００７７】
−入金入力−
図１２は、入金入力動作のフローチャートを示す。図１３は、各ステップでの通信端末装置２０の情報表示部２２の表示を示す。
【００７８】
入金入力が選択されたときのまずステップＦ１では、課金処理サーバ１４から当該ユーザーのポイント残高情報を受け取り、図１３（ａ）に示すように、現在のポイント数を示すと共に入力ポイント数及びプリペイドカード番号の入力を促す入力画面を情報表示部２２に表示させるように通信端末装置２０に情報送信し、通信端末装置２０の情報入力部２１から入力送信（入力ボタンを押す）があるとステップＦ２に進む。
【００７９】
ステップＦ２では、当該ユーザーのポイント残高に入力ポイントだけ加算して課金処理サーバ１４にそのポイント残高情報を書換保存し、図１３（ｂ）に示すように、入力後のポイント数を表示する画面を所定時間情報表示部２２に表示させるように通信端末装置２０に情報送信した後、ステップＳ６に戻る。
【００８０】
−データの保存−
このデータ保存送信システムＳでは、通信端末装置２０により再生データをネットワーク４０経由でデータ保存送信装置１０のデータ供給サーバ１６に保存して格納することができる。
【００８１】
これにより、データ販売の仲介業を構成することができる。具体的には、データを販売したい者、例えば、インディーズ歌手は、自分の作った楽曲データを、電話機からＣＴＩサーバ経由で、メールに添付してメールサーバ経由で、或いは、テキストを送って音声合成サーバ経由でネットワーク４０を介してデータ保存送信１０のデータ供給サーバ１６にアップロードする。そして、他の通信端末装置２０のユーザーがその楽曲データを購入した場合、データ保存送信装置１０オーナーがその購入費用から手数料を引いて歌手に支払うシステムを構成すればよい。また、ユーザーが、自分で作ったデータをデータ供給サーバ１６（或いは、データ格納処理サーバ１５）に保存し、そのユーザー自身や特定のユーザーがそのデータの再生をできるようにしてもよい。
【００８２】
−広告データの保存−
このデータ保存送信システムＳでは、通信端末装置２０により広告データをネットワーク４０経由でデータ保存送信装置１０のデータ格納処理サーバ１５に保存して格納することができる。
【００８３】
これにより、広告主が広告データを保存すると広告主に課金処理がなされ、ユーザーに課されるデータ格納費用の一部乃至全部をそれでまかない、そして、データ保存送信装置１０に自動広告挿入機能が付されていることにより、データ送信時に、音楽データ等と共に広告付き画像データが添付して通信端末装置２０に送信され、画面をクリックしたら広告主のホームページに画面が飛ぶようにすることができる。従って、ユーザーのデータ格納費用の負担軽減を図ることができる。
【００８４】
また、ユーザーが広告データをデータ格納処理サーバ１５の自分のデータ格納領域に保存して視聴等することにより、ポイントを増加させたり、データ格納費用の負担を軽減させるようにしてもよい。
【００８５】
−リアルタイム情報の取得−
このデータ保存送信システムＳでは、通信端末装置２０は、リアルタイム情報送信指示情報を送信することにより、アクセス処理サーバ１１でリアルタイム情報送信指示情報が受信され、アクセス処理サーバ１１からデータ送信処理サーバ１３にリアルタイム情報送信指示が送られ、データ送信処理サーバ１３によりリアルタイム情報取得サーバからの所定のリアルタイム情報が送信されてそれを受信することができる。
【００８６】
これにより、リアルタイム情報受信サーバが受信するリアルタイムに発生するデータ、例えば、ハワイなどの海外の生の画像データ、高速道路や新幹線の混雑情報、保育園の様子の動画データ等を確認することができる。
【００８７】
以上のような構成のデータ保存送信システムＳによれば、通信端末装置２０には、データが分割して送信されるので、受信データ容量が小さくても、データ保存送信装置１０からのデータを受信すると同時に、データをデータ再生部２３でストリーミング再生することができる。
【００８８】
特に、携帯電話機について、現在、携帯電話機の音楽配信サービスとしては、例えば、着うた（登録商標）、着うたフル（登録商標）という名で行われている。しかしながら、あるキャリアの携帯電話機では、１曲分の楽曲データ（例えば１．５ＭＢ）をダウンロードして聞くことが可能であるが、１曲分をストリーミングで聞くことはできない。別のキャリアの携帯電話では、例えば５００ＫＢ以下しかダウンロードできず、１曲分の容量をダウンロードできないし、１曲分をストリーミングで聞くこともできない。
【００８９】
また、例えば、ある携帯電話会社の音楽配信システムでは、携帯電話機に接続したパソコンで着うたフル（登録商標）のバックアップが可能となっているが、パソコン側に数多くの楽曲を保存していても、いちいち携帯電話機にダウンロードしてからでないと聞くことができない。しかも、携帯電話機側の蓄積容量の制限により、連続再生できる曲数に制限がある。
【００９０】
しかしながら、このデータ保存送信システムＳであれば、携帯電話機であっても、外部のデータ保存送信装置１０の許可した容量内であれば何曲でも連続ストリーミング再生が可能である。
【００９１】
具体的には、例えば、携帯電話機からデータ保存送信装置１０に接続し、所望の楽曲データを外部データ供給装置３０等で検索後、それを取得してデータ保存送信装置１０に保存する。
【００９２】
楽曲データを再生する場合は、携帯電話機からデータ保存送信装置１０に接続し、保存した楽曲データを選択する。選択した楽曲データは、携帯電話機で再生するには容量が大き過ぎるので、まず、一定の容量（例えば６４ＫＢずつ）に分割される。また、携帯電話機は、同じキャリアでもメーカーが違えば再生可能な楽曲データのフォーマットが異なるので、分割したデータのフォーマットは携帯電話機に対応して再生可能なフォーマットに変換される。そして、これにより、携帯電話機では、順番に送られてくる楽曲データをストリーミング再生することができる。この場合、切れ目なくスムーズに再生するために、携帯電話機の再生ソフトに受信データのバッファを設けるとよい。また、１曲の再生だけでなく、データ保存送信装置１０に、好みに応じて、楽曲データの再生順をプレイリスト情報として記憶させておくことで、複数の楽曲データがリスト順に連続的にデータ保存送信装置１０から携帯電話機に送信され、携帯電話機では、複数の楽曲データを連続再生することが可能となる。さらに、リピート機能を持たせることで、何度でもリスト順に自動連続再生させることができる。
【００９３】
また、現状の携帯電話機では、例えば、楽曲データの場合、１曲全部を再生するには、ダウンロードして携帯電話機内の記憶媒体に取り込んでからしか再生できず、ストリーミング再生により１曲全部を再生することができない。また、別種の携帯電話機では、１曲全部をダウンロードすることができないので、１曲全部を携帯電話で聞くには、一旦パソコン等にデータをダウンロードし、それを携帯電話機の記憶媒体に転送してから再生するので、非常に手間と費用がかかり、また、ダウンロードを使用すると、データの著作権管理に手間とコストがかかるという問題もある。
【００９４】
しかしながら、このデータ保存送信システムＳであれば、データ保存送信装置１０に大容量のデータが格納されるので、通信端末装置２０にデータを格納する必要がなく、通常、通信端末装置２０に付属している記憶媒体に比較して大容量の外部記憶媒体として機能し、そして、通信端末装置２０とデータ保存送信装置１０との通信によってデータ再生部２３でデータの連続再生を行うことができる。
【００９５】
また、データ保存送信装置１０にデータが格納されるので、通信端末装置２０が故障等してもデータが喪失されることがなく、加えて、携帯電話機の番号継続（ポータビリティ）制により、携帯電話会社を変更しても電話番号が変更されないため、携帯電話会社の乗り換えが頻繁に行われるようになることが予想されるが、そのような場合でも、ユーザーは以前に保有していたデータをそのまま利用することができ利便性が高い。
【００９６】
さらに、このデータ保存送信システムＳであれば、送信するデータを通信端末装置２０に対応したフォーマットに変換するので、例えば、データ格納処理サーバ１５に格納されている楽曲データがパソコン再生用のフォーマットである場合、つまり、パソコン用の音楽配信サービスをそのまま利用して楽曲データをデータ格納処理サーバ１５に保存した場合、パソコン再生用の楽曲データ（例えばＭＰ３データ）として保存しておき、前記フォーマット変換する際に各携帯電話機に対応した形式のフォーマットにすることが可能である。この場合、自前でパソコンにも、携帯電話機にもサービス提供すると、パソコンに提供されている音楽配信サービスの機器をほぼそのまま利用して、携帯電話機へのサービス提供ができ、サービスのトータルコストを削減でき、他社のパソコン用音楽配信サービスと提携し、携帯電話機へのデータ送信のみを請け負うビジネスも可能である。
【００９７】
特許文献１に記載された技術では、音楽コンテンツをユーザ毎にデータセンターで保存する機能を有しているが、この場合、通信端末装置２０を携帯電話機とすると、携帯電話機のほとんどの機種では、着うた（登録商標）と呼ばれる楽曲データの一部しか再生できないし、楽曲を全部聞ける機種においても、いちいち楽曲データをダウンロードしてからでないと再生することができない。また、データセンターで保存している楽曲データのフォーマットについては記されていないが、例えば、ユーザが携帯電話機の機種変更をすれば、以前に保存した楽曲を聞くことができない。さらに、音楽コンテンツ提供サーバも通信端末装置に依存したデータのすべてを用意しなければならないため、大きなコストがかかることになる。
【００９８】
しかしながら、このデータ保存送信システムＳであれば、データ保存送信装置１０から送信されるデータを通信端末装置２０で受信すると同時に、ストリーミング再生することができ、また、通信端末装置２０に適合したフォーマットのデータが送信されるので、かかる問題が生じることがない。
【００９９】
（その他の実施形態）
上記実施形態では、データ保存送信装置１０を６つのサーバで構成したが、特にこれに限定されるものではなく、例えば、データ取得処理サーバ１２の機能とデータ送信処理サーバ１３の機能と１つのサーバで構成する等の集約をしても、また、全ての機能を備えた単一サーバで構成してもよい。
【０１００】
また、上記実施形態では、データ送信順編集部をアクセス処理サーバ１１で構成したが、特にこれに限定されるものではなく、独立したサーバで構成しても、また、データ格納処理サーバ１５等の他のサーバで構成してもよい。
【０１０１】
また、上記実施形態では、データ分割部及びフォーマット変換部をデータ送信処理サーバ１３で構成したが、特にこれに限定されるものではなく、それらをそれぞれ独立したサーバで構成してもよく、また、データ取得処理サーバ１２やデータ格納処理サーバ１５等の他のサーバで構成してもよい。
【０１０２】
また、上記実施形態では、送信する全てのデータを分割する構成としたが、特にこれに限定されるものではなく、通信端末装置２０の種別の識別に基づいて、受信データ容量が小さくてデータの分割が必要な場合のみにデータの分割を行う構成としてもよい。
【０１０３】
また、上記実施形態では、通信端末装置２０の種別の識別に基づいて、データのフォーマットの変換が必要な場合のみにデータのフォーマットを変換する構成としたが、特にこれに限定されるものではなく、全てのデータについて取得時等にフォーマットを変換する構成としてもよい。
【０１０４】
また、上記実施形態では、再生データ保存部をデータ供給サーバ１６で構成したが、特にこれに限定されるものではなく、独立したサーバで構成してもよく、また、データ格納処理サーバ１５等の他のサーバで構成してもよい。
【０１０５】
また、上記実施形態では、広告データ格納部をデータ格納サーバ１５で構成したが、特にこれに限定されるものではなく、独立したサーバで構成してもよく、また、他のサーバで構成してもよい。
【０１０６】
また、上記実施形態では、プリペイド方式による課金処理を例にしたが、特にこれに限定されるものではなく、クレジットカード決済等によるポストペイド方式やその都度支払う方式などであってもよい。
【０１０７】
また、上記実施形態では、通信端末装置２０の種別の識別を通信開始時に行う構成としたが、特にこれに限定されるものではなく、ユーザーの登録時に通信端末装置２０の種別を登録するようにし、それに基づいて通信端末装置２０の種別の識別を行うようにしてもよい。
【産業上の利用可能性】
【０１０８】
本発明は、データ保存送信装置、それに用いるコンピュータプログラム及びそれを記録した記録媒体、並びに、データ再生方法について有用である。
【図面の簡単な説明】
【０１０９】
【図１】データ保存送信システム全体を示す図である。
【図２】データ保存送信システムを示す構成図である。
【図３】メニュー画面を表示させる情報送信までの動作のフローチャートである。
【図４】メニュー画面を表示するまでの各ステップでの通信端末装置の情報表示部の表示を示す図である。
【図５】データ購入動作のフローチャートである。
【図６】データ購入動作の各ステップでの通信端末装置の情報表示部の表示を示す図である。
【図７】データ再生・編集動作のフローチャートである。
【図８】データ再生・編集動作の各ステップでの通信端末装置の情報表示部の表示を示す図である。
【図９】単一データ再生動作のフローチャートである。
【図１０】データ送信動作のフローチャートである。
【図１１】プレイリスト再生・編集動作のフローチャートである。
【図１２】入金入力動作のフローチャートである。
【図１３】入金入力動作の各ステップでの通信端末装置の情報表示部の表示を示す図である。
【符号の説明】
【０１１０】
１０  データ保存送信装置
１１  アクセス処理サーバ（情報受信部、データ送信順編集部）
１２  データ取得処理サーバ（データ取得部）
１３  データ送信処理サーバ（データ送信部、データ分割部、フォーマット変換部）
１４  課金処理サーバ（課金処理部）
１５  データ格納処理サーバ（データ格納部）
１６  データ供給サーバ（データ供給部）
２０  通信端末装置
３０  外部データ供給装置（データ供給部）
【図１】
2007213530.tif 000003
【図２】
2007213530.tif 000004
【図３】
2007213530.tif 000005
【図４】
2007213530.tif 000006
【図５】
2007213530.tif 000007
【図６】
2007213530.tif 000008
【図７】
2007213530.tif 000009
【図８】
2007213530.tif 000010
【図９】
2007213530.tif 000011
【図１０】
2007213530.tif 000012
【図１１】
2007213530.tif 000013
【図１２】
2007213530.tif 000014
【図１３】
2007213530.tif 000015